(57)【要約】 【課題】  識別情報自体を揺動させて識別情報を的確に認識できるとともに、遊技の興趣を盛り上げることができる遊技機の可変表示装置及び可変表示ユニットを提供する。【解決手段】  識別情報を表示可能な複数の板状セグメント４が立設された導光部材１と、各セグメント４を発光するＬＥＤなどの光源６が配置された基板７と、各セグメント４が挿通可能な貫通孔５が設けられた表示画面３と、導光部材１を前後動するソレノイド９とからなり、ソレノイド９の通電によりセグメント４を表示画面３から出没可能として導光部材１を表示画面３の裏側に配置した。導光部材１はソレノイド９によりレバー機構１０を介して前後動させることができる。このような可変表示装置を複数並設して複数の識別情報を表示可能な可変表示ユニットを構成する。【選択図】    図１
2005218513.tif 000002
【特許請求の範囲】
【請求項１】
識別情報を表示可能な複数の板状セグメントと、セグメントを発光させる複数の光源と、セグメントが挿通可能な貫通孔が設けられた表示画面と、セグメントを前後動する電気的駆動源とからなることを特徴とする遊技機の可変表示装置。
【請求項２】
複数のセグメントを導光部材の一側に立設し、この導光部材を電気的駆動源に連動させた請求項１に記載の遊技機の可変表示装置。
【請求項３】
導光部材をレバー機構を介して電気的駆動源に連動させた請求項２に記載の遊技機の可変表示装置。
【請求項４】
導光部材の裏側に、光源を備えた基板を配設した請求項２又は３に記載の遊技機の可変表示装置。
【請求項５】
セグメントを光源を備えた基板に立設し、この基板を電気的駆動源に連動させた請求項１に記載の遊技機の可変表示装置。
【請求項６】
各セグメントをそれぞれ電気的駆動源に接続して各セグメントが独立して前後動するようにした請求項１に記載の遊技機の可変表示装置。
【請求項７】
請求項２〜５の何れかに記載の可変表示装置を複数並設して、セグメントを前後動する電気的駆動源をそれぞれの可変表示装置に設けたことを特徴とする遊技機の可変表示ユニット。
【請求項８】
請求項２〜５の何れかに記載の可変表示装置を複数並設して、セグメントを前後動する電気的駆動源を一個として各可変表示装置共通としたことを特徴とする遊技機の可変表示ユニット。
【発明の詳細な説明】
【技術分野】
【０００１】
本発明は、数字などの識別情報を変動させて表示することができる遊技機の可変表示装置及びその可変表示装置を複数並設した可変表示ユニットに関するものである。
【背景技術】
【０００２】
遊技盤内に、複数の入賞口と各種の遊技装置とを備えるとともに、これら遊技装置を用いて遊技進行条件を変化させることにより態様の異なる複数種類の遊技状態を生ぜしめ得る遊技機が広く用いられている。例えば特定入賞口へ球が入賞することを条件として、通常の遊技状態から遊技者が特典を獲得する可能性の高い特別遊技状態へ移行するような遊技内容とすることで、特別遊技状態への移行に対する期待感により遊技の興趣を高めるように工夫されている。
【０００３】
しかしながら、上記の遊技機においては、可変表示装置の表示画面が単に識別情報の内容を変動させるのみであったので、遊技の興趣の盛り上がりに欠けるものであった。また、注意力が散漫な場合には表示された識別情報を的確に認識することができず、遊技者は遊技状態に適した遊技展開を図るような遊技操作を行うことができず、結果的に遊技利益の獲得量が遊技者に満足のいくものとならない場合もあった。
【０００４】
このような遊技機の欠点を補うものとして特許文献１には、複数の可変表示装置（例えば、第１〜第３動的可変表示装置94a〜94c）を、電気的駆動源（例えば、ソレノイド101a）の作用により個別に所定方向に移動可能に構成し、各可変表示装置の停止表示態様の組合せが予め定めた所定の組合せとなることに基づいて特定遊技状態が発生した際に、電気的駆動源を作動させて所定の態様で可変表示装置を移動させるようにしたものが開示されている。しかし、この可変表示装置は、この装置全体が前後動するものであったので、やはり遊技の興趣の盛り上がりにおいて十分なものではなかった。
【特許文献１】特許２６６０９２１号公報  (図３４)
【発明の開示】
【発明が解決しようとする課題】
【０００５】
本発明は上記した従来の問題点を解決して、可変表示装置の識別情報自体を揺動させて、識別情報を的確に認識できるとともに遊技の興趣を盛り上げることができる遊技機の可変表示装置及び可変表示ユニットを提供するためになされたものである。
【課題を解決するための手段】
【０００６】
上記の課題を解決するためになされた本発明の遊技機の可変表示装置は、識別情報を表示可能な複数の板状セグメントと、セグメントを発光させる複数の光源と、セグメントが挿通可能な貫通孔が設けられた表示画面と、セグメントを前後動する電気的駆動源とからなることを特徴とするものである。なお、複数のセグメントを導光部材の一側に立設し、この導光部材を電気的駆動源に連動させることができ、導光部材をレバー機構を介して電気的駆動源に連動させることができ、導光部材の裏側に、光源を備えた基板を配設することができる。また、セグメントを光源を備えた基板に立設し、この基板を電気的駆動源に連動させることができ、或いは、各セグメントをそれぞれ電気的駆動源に接続してそれぞれのセグメントが独立して前後動するようにすることができる。
【０００７】
また、本発明の遊技機の可変表示ユニットは、上記したような可変表示装置を複数並設して、セグメントを前後動する電気的駆動源をそれぞれの可変表示装置に設けることができ、或いは、その電気的駆動源を一個として各可変表示装置共通とすることができる。
【発明の効果】
【０００８】
本発明の遊技機の可変表示装置は、複数の板状セグメントを電気的駆動源により前後動可能としたうえに、表示画面には各セグメントが挿通可能な貫通孔を設けたので、電気的駆動源の通電によりセグメントを表示画面から出没させて識別情報自体を前後に揺動させることができる。
また、複数の可変表示装置を並設して可変表示ユニットを構成し、それぞれの可変表示装置に電気的駆動源を別個に設けることによってセグメントを独立に揺動させることができるし、或いは電気的駆動源を全可変表示装置共通の１個とすることによってその数を減じて消費電力を低減ずることができる。
【発明を実施するための最良の形態】
【０００９】
以下に図面を参照しつつ本発明の好ましい実施形態を説明する。
図１は、本発明の実施形態の可変表示装置を分解して示す斜視図であって、１は導光部材、２は表示画面３を備えたケースである。導光部材１の一側には８の字形に７枚の板状セグメント４が立設されており、これらのセグメント４は表示画面３に８の字形に形成された７つの貫通孔５に挿通することができる。導光部材１の裏側には１４個の光源６がセグメント４の形状に対応して８の字形に配置された基板７が配設されている。光源６としてＬＥＤ、光ファイバ、豆ランプなどを用いることができる。また、導光部材１は基板７と接合されていても、離間されていてもよい。この導光部材１はソレノイド９によりレバー機構１０を介して前後に揺動される。レバー機構１０は２本の枢軸１１により両サイドの支持部材１２に挿着されて取付けられている。なお、ソレノイド９に代えてモータを電気的駆動源とすることができるし、導光部材１を直接電気的駆動源に接続して前後動させることもできる。
【００１０】
レバー機構１０は２本の回転軸１３と、この回転軸１３の両端から延出する４本のアーム１４を有する。回転軸１３の中央には挟持片１５が設けられており、この挟持片１５は図２に示すようにソレノイド９のプランジャ１６頭部を挟持している。アーム１４の先端には突起１７が設けられ、この突起１７は導光部材１後端の切欠き部１８に嵌め込まれている。
【００１１】
レバー機構１０を以上のような構成としたことにより、ソレノイド９を非通電としてプランジャ１６を突出させた時には、図２、４に示すようにセグメント４を表示画面３より退去させることができる。そして、ソレノイド９を通電してプランジャ１６を吸引した時には、図３、５に示すようにセグメント４を表示画面３より前方に突出させることができる。したがって、光源６を適宜点灯させることによってセグメント４により識別情報を変動表示することができ、このセグメント４をソレノイド９により揺動させることによって識別情報自体を表示画面３より出没可能とすることができる。レバー機構によりソレノイドを非通電の時に持続時間の長いセグメントの退却状態とし、情報伝達時のみにソレノイド９を通電して短時間セグメントを突出させるので、大幅な節電を図ることができる。
【００１２】
上記実施形態においてはセグメント４は導光部材１に立設したが、図６に示すようにセグメント４を光源６を備えた基板７に立設することもできる。すなわち、この可変表示装置においては、複数の板状セグメント４が立設された基板７が支持棒２１の先端に固定され、この支持棒２１はプランジャ１６頭部に接続されている。また、表示画面３には貫通孔５が既記したような形状に配置して形成されており、この貫通孔５にセグメント４が挿通可能となっている。なお、２２はセグメント４を挿通して保持する支持部材である。可変表示装置をこのような構成としてもソレノイド９によりセグメント４を前後に揺動させることができる。
【００１３】
そして、以上のような可変表示装置を複数並設して一組の可変表示ユニットとなし、セグメント４をそれぞれの可変表示装置に設けたソレノイド９により独立して揺動させることができる。また、図７に示すように、ソレノイド９を一個として各可変表示装置共通とすることによってセグメント４を一斉に揺動させることができる。ソレノイド９の駆動力は伝達部材２３を介して各基板７に伝達される。
【００１４】
以上とは別の実施形態の可変表示装置を図８、９に示す。
この可変表示装置においては、複数の板状セグメント４がそれぞれ支持棒２１の先端に固定され、この支持棒２１がソレノイド９のプランジャ１６頭部に接続されている。基板７はセグメント４とプランジャ１６の間に配設されている。また、表示画面３にはセグメント４が挿通可能な貫通孔５が形成されている。
【００１５】
可変表示装置を以上のような構成としたので、各セグメント４は各々独立して表示画面３から出没することができる。したがって、図８に示すようなセグメント４の全てが後退した状態や、図９に示す一部のセグメント４が後退した状態などに、識別情報に対応して発光されたセグメント４のみを突出させることによって遊技の演出効果を大幅に高めることができる。
【００１６】
以上にような可変表示装置を複数並設することにより、その識別情報が揃った時に大当りやリーチ状態を遊技者にはっきりと認識させることができるので、遊技者が不利を被ることがない。
したがって、本発明の遊技機の可変表示装置は、遊技者が識別情報を的確に認識できるとともに遊技の興趣を大幅に盛り上げることができるという大きな効果を奏するものである。
【図面の簡単な説明】
【００１７】
【図１】本発明の可変表示装置の分解斜視図である。
【図２】セグメントが表示画面より退却した状態の可変装置の側面図である。
【図３】セグメントが表示画面より突出した状態の可変装置の側面図である。
【図４】セグメントが表示画面より退却した状態の可変装置の斜視図である。
【図５】セグメントが表示画面より突出した状態の可変装置の斜視図である。
【図６】セグメントが基板に立設された可変表示装置の側面図である。
【図７】一個のソレノイドを備えた可変表示ユニットの構造を示す平面図である。
【図８】各セグメントをソレノイドに直結した可変表示装置の構造を示す側面図である。
【図９】一部のセグメントが突出した状態にある図８の可変表示装置の側面図である。
【符号の説明】
【００１８】
１  導光部材
２  ケース
３  表示画面
４  セグメント
５  貫通孔
６  光源
７  基板
９  ソレノイド（電気的駆動源）
１０  レバー機構
１１  枢軸
１２  支持部材
１３  回転軸
１４  アーム
１５  挟持片
１６  プランジャ
１７  突起
１８  切欠き部
【図１】
2005218513.tif 000003
【図２】
2005218513.tif 000004
【図３】
2005218513.tif 000005
【図４】
2005218513.tif 000006
【図５】
2005218513.tif 000007
【図６】
2005218513.tif 000008
【図７】
2005218513.tif 000009
【図８】
2005218513.tif 000010
【図９】
2005218513.tif 000011